【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
音声付き動画の撮影記録機能を有する動画撮影装置において、
屋内での撮影に適した第１の撮影条件と屋外での撮影に適した第２の撮影条件とを含む複数の撮影条件を選択的に設定して前記音声付き動画における動画データの記録を行う動画記録手段と、
屋内での録音に適した第１の録音条件と屋外での録音に適した第２の録音条件とを含む複数の録音条件を選択的に設定して前記音声付き動画における音声データの記録を行う音声記録手段と、
撮像手段により撮像された被写体画像に基づいて屋内と屋外を含む複数の撮影環境を判定する判定手段と、
前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、
を備えたことを特徴とする動画撮影装置。
【請求項２】
前記録音条件は、入力音声に含まれる風切り音の除去を行う風切音フィルタの使用の有無を含むことを特徴とする請求項１記載の動画撮影装置。
【請求項３】
前記第２の録音条件は、入力音声に含まれる風切り音の除去を行う風切音フィルタを有効にした録音条件であり、前記第１の録音条件は、前記風切音フィルタを無効にした録音条件であることを特徴とする請求項２記載の動画撮影装置。
【請求項４】
前記撮影条件は、光源の種類に対応したオートホワイトバランス処理の実行の有無を含むことを特徴とする請求項３記載の動画撮影装置。
【請求項５】
音声付き動画の撮影記録を制御する動画撮影方法において、
屋内での撮影に適した第１の撮影条件と屋外での撮影に適した第２の撮影条件とを含む複数の撮影条件を選択的に設定可能であるとともに、屋内での録音に適した第１の録音条件と屋外での録音に適した第２の録音条件とを含む複数の録音条件を選択的に設定可能であり、
撮像手段により撮像された被写体画像に基づいて屋内と屋外を含む複数の撮影環境を判定し、
この判定により撮影環境が屋内であると判別された場合には、前記動画記録手段により前記第１の撮影条件を設定して動画データの記録を行うとともに、前記音声記録手段により前記第１の録音条件を設定して音声データの記録を行い、この判定により撮影環境が屋外であると判別された場合には、前記動画記録手段により前記第２の撮影条件を設定して動画データの記録を行うとともに、前記音声記録手段により前記第２の録音条件を設定して音声データの記録を行う
ことを特徴とする動画撮影方法。
【請求項６】
音声付き動画の撮影記録を制御する動画撮影装置が有するコンピュータを、
屋内での撮影に適した第１の撮影条件と屋外での撮影に適した第２の撮影条件とを含む複数の撮影条件を選択的に設定して前記音声付き動画における動画データの記録を行う動画記録手段と、
屋内での録音に適した第１の録音条件と屋外での録音に適した第２の録音条件とを含む複数の録音条件を選択的に設定して前記音声付き動画における音声データの記録を行う音声記録手段と、
撮像手段により撮像された被写体画像に基づいて屋内と屋外を含む複数の撮影環境を判定する判定手段と、
前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、
して機能させるためのプログラム。
【請求項７】
音声付き動画の撮影記録機能を有する動画撮影装置において、
複数の撮影シーンの各々に対応させて撮影条件データを記憶するとともに、各撮影シーンに対応した見本画像データまたは説明文データを記憶する第１の記憶手段と、
前記第１の記憶手段に記憶された複数の見本画像データまたは説明文データを表示するとともに利用者に選択させる選択手段と、
前記選択手段により選択された見本画像データまたは説明文データに対応する撮影シーンを特定する撮影シーン特定手段と、
前記撮影シーン特定手段により特定された撮影シーンに対応して前記第１の記憶手段に記憶されている撮影条件を設定して前記音声付き動画における動画データの記録を行う動画記録手段と、
前記複数の撮影シーンの各々に対応させて録音条件データを記憶する第２の記憶手段と、
前記撮影シーン特定手段により特定された撮影シーンに対応して前記第２の記憶手段に記憶されている録音条件を設定して前記音声付き動画における音声データの記録を行う音声記録手段と、
を備えたことを特徴とする動画撮影装置。
【請求項８】
前記録音条件には、入力音声に対する最終的な増幅度合による増幅を完了するまでの追従時間が含まれることを特徴とする請求項７記載の動画撮影装置。
【請求項９】
前記録音条件には、入力音声に含まれる風切り音の除去を目的とするフィルタの使用の有無が含まれることを特徴とする請求項７項記載の動画撮影装置。
【手続補正２】
【補正対象書類名】明細書
【補正対象項目名】０００５
【補正方法】変更
【補正の内容】
【０００５】
前記課題を解決するため請求項１の発明にあっては、音声付き動画の撮影記録機能を有する動画撮影装置において、屋内での撮影に適した第１の撮影条件と屋外での撮影に適した第２の撮影条件とを含む複数の撮影条件を選択的に設定して前記音声付き動画における動画データの記録を行う動画記録手段と、屋内での録音に適した第１の録音条件と屋外での録音に適した第２の録音条件とを含む複数の録音条件を選択的に設定して前記音声付き動画における音声データの記録を行う音声記録手段と、撮像手段により撮像された被写体画像に基づいて屋内と屋外を含む複数の撮影環境を判定する判定手段と、前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、を備えたことを特徴とする。
【手続補正３】
【補正対象書類名】明細書
【補正対象項目名】０００６
【補正方法】変更
【補正の内容】
【０００６】
また、請求項２の発明にあっては、前記録音条件は、入力音声に含まれる風切り音の除去を行う風切音フィルタの使用の有無を含むことを特徴とする。
【手続補正４】
【補正対象書類名】明細書
【補正対象項目名】０００７
【補正方法】変更
【補正の内容】
【０００７】
また、請求項３の発明にあっては、前記第２の録音条件は、入力音声に含まれる風切り音の除去を行う風切音フィルタを有効にした録音条件であり、前記第１の録音条件は、前記風切音フィルタを無効にした録音条件であることを特徴とする。
【手続補正５】
【補正対象書類名】明細書
【補正対象項目名】０００８
【補正方法】変更
【補正の内容】
【０００８】
また、請求項４の発明にあっては、前記撮影条件は、光源の種類に対応したオートホワイトバランス処理の実行の有無を含むことを特徴とする。
【手続補正６】
【補正対象書類名】明細書
【補正対象項目名】０００９
【補正方法】変更
【補正の内容】
【０００９】
また、請求項５の発明にあっては、音声付き動画の撮影記録を制御する動画撮影方法において、屋内での撮影に適した第１の撮影条件と屋外での撮影に適した第２の撮影条件とを含む複数の撮影条件を選択的に設定可能であるとともに、屋内での録音に適した第１の録音条件と屋外での録音に適した第２の録音条件とを含む複数の録音条件を選択的に設定可能であり、撮像手段により撮像された被写体画像に基づいて屋内と屋外を含む複数の撮影環境を判定し、この判定により撮影環境が屋内であると判別された場合には、前記動画記録手段により前記第１の撮影条件を設定して動画データの記録を行うとともに、前記音声記録手段により前記第１の録音条件を設定して音声データの記録を行い、この判定により撮影環境が屋外であると判別された場合には、前記動画記録手段により前記第２の撮影条件を設定して動画データの記録を行うとともに、前記音声記録手段により前記第２の録音条件を設定して音声データの記録を行うことを特徴とする。
【手続補正７】
【補正対象書類名】明細書
【補正対象項目名】００１０
【補正方法】変更
【補正の内容】
【００１０】
また、請求項６の発明にあっては、音声付き動画の撮影記録を制御する動画撮影装置が有するコンピュータを、屋内での撮影に適した第１の撮影条件と屋外での撮影に適した第２の撮影条件とを含む複数の撮影条件を選択的に設定して前記音声付き動画における動画データの記録を行う動画記録手段と、屋内での録音に適した第１の録音条件と屋外での録音に適した第２の録音条件とを含む複数の録音条件を選択的に設定して前記音声付き動画における音声データの記録を行う音声記録手段と、撮像手段により撮像された被写体画像に基づいて屋内と屋外を含む複数の撮影環境を判定する判定手段と、前記判定手段により撮影環境が屋内であると判別された場合には、前記動画記録手段により前記第１の撮影条件を設定して動画データの記録を行うとともに、前記音声記録手段により前記第１の録音条件を設定して音声データの記録を行い、前記判定手段により撮影環境が屋外であると判別された場合には、前記動画記録手段により前記第２の撮影条件を設定して動画データの記録を行うとともに、前記音声記録手段により前記第２の録音条件を設定して音声データの記録を行う制御手段と、して機能させることを特徴とする。
【手続補正８】
【補正対象書類名】明細書
【補正対象項目名】００１１
【補正方法】変更
【補正の内容】
【００１１】
また、請求項７の発明にあっては、音声付き動画の撮影記録機能を有する動画撮影装置において、複数の撮影シーンの各々に対応させて撮影条件データを記憶するとともに、各撮影シーンに対応した見本画像データまたは説明文データを記憶する第１の記憶手段と、前記第１の記憶手段に記憶された複数の見本画像データまたは説明文データを表示するとともに利用者に選択させる選択手段と、前記選択手段により選択された見本画像データまたは説明文データに対応する撮影シーンを特定する撮影シーン特定手段と、前記撮影シーン特定手段により特定された撮影シーンに対応して前記第１の記憶手段に記憶されている撮影条件を設定して前記音声付き動画における動画データの記録を行う動画記録手段と、前記複数の撮影シーンの各々に対応させて録音条件データを記憶する第２の記憶手段と、前記撮影シーン特定手段により特定された撮影シーンに対応して前記第２の記憶手段に記憶されている録音条件を設定して前記音声付き動画における音声データの記録を行う音声記録手段と、を備えたことを特徴とする。
【手続補正９】
【補正対象書類名】明細書
【補正対象項目名】００１２
【補正方法】変更
【補正の内容】
【００１２】
また、請求項８の発明にあっては、前記録音条件には、入力音声に対する最終的な増幅度合による増幅を完了するまでの追従時間が含まれることを特徴とする。
【手続補正１０】
【補正対象書類名】明細書
【補正対象項目名】００１３
【補正方法】変更
【補正の内容】
【００１３】
また、請求項９の発明にあっては、前記録音条件には、入力音声に含まれる風切り音の除去を目的とするフィルタの使用の有無が含まれることを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明においては、撮影環境が屋内か屋外かを判定し、この判定結果に応じて、屋内または屋外での撮影に適した撮影条件および録音に適した録音条件を一緒に設定して音声付き動画の撮影記録を行えるようにした。よって、撮影環境に応じた撮影条件での音声付き動画の撮影記録に際しては、更に撮影環境に適した音声録音をすることが可能となる。